(57)【要約】【課題】              外観品質を保持しつつ構造体の強度や成形性を向上させることができる電子機器、カバー及び構造体を提供すること。【解決手段】          構造体１の外側に取り付けられるとともに、周縁部２ｂの一部が内面側に折り曲がったカバー２を有する電子装置において、カバー２は、その内面の折り目２ｄを含む所定の領域から突出するとともに、カバー２の内面側から見て折り目２ｄと交叉する線形成分を有する第１の部位と、当該第１の部位と交叉する線形成分を有する第２の部位とが一体となった１又は複数のリブ２ａを有し、構造体１は、リブ２ａと対応する位置に当該リブ２ａと嵌合する穴部１ａを有することを特徴とする。【選択図】            図２
2006086279.tif 000002
【特許請求の範囲】
【請求項１】
構造体の外側に取り付けられるとともに、少なくとも周縁部の全体又は一部が内面側に折り曲がったカバーを有する電子装置において、
前記カバーは、その内面の折り目の一部を含む所定の領域から突出するとともに、前記カバーの内面側から見て前記折り目と交叉する第１の部位と、当該第１の部位と交叉する第２の部位とが一体となった１又は複数のリブを有し、
前記構造体は、前記リブと対応する位置に当該リブと嵌合する穴部を有することを特徴とする電子機器。
【請求項２】
前記リブは、前記カバーの内面側から見てＴ字形状に形成されていることを特徴とする請求項１記載の電子機器。
【請求項３】
前記リブの前記第１の部位は、前記折り目より端部側の前記カバーの面と接合することを特徴とする請求項１又は２記載の電子機器。
【請求項４】
前記リブの前記第２の部位は、前記折り目より中央側の前記カバーの面と接合することを特徴とする請求項１乃至３のいずれか一に記載の電子機器。
【請求項５】
前記リブは、爪部を有し、
前記構造体は、前記爪部と対応する位置に当該爪部と掛合する掛合部を有することを特徴とする請求項１乃至４のいずれか一に記載の電子機器。
【請求項６】
前記電子機器は、携帯電話機であることを特徴とする請求項１乃至５のいずれか一に記載の電子機器。
【請求項７】
構造体の外側に取り付けられるとともに、少なくとも周縁部の全体又は一部が内面側に折り曲がったカバーにおいて、
内面の折り目の一部を含む所定の領域から突出するとともに、前記カバーの内面側から見て前記折り目と交叉する第１の部位と、当該第１の部位と交叉する第２の部位とが一体に構成され、前記構造体の所定の部位と嵌合する１又は複数のリブを備えることを特徴とするカバー。
【請求項８】
少なくとも周縁部の全体又は一部が内面側に折り曲がったカバーが外面側から取り付けられる構造体において、
外面の角部を含む所定の領域に凹設されるとともに、前記構造体の外面側から見て前記角部の稜線と交叉する第１の部位と、当該第１の部位と交叉する第２の部位とが一体に構成され、前記カバーの所定の部位と嵌合する１又は複数の穴部を備えることを特徴とする構造体。
【発明の詳細な説明】
【技術分野】
【０００１】
本発明は、ケース、フレームなどの構造体の外側に取り付けられたカバーを有する電子機器、カバー及び構造体に関し、特に、外観品質を保持することができる電子機器、カバー及び構造体に関する。
【背景技術】
【０００２】
携帯電話機等の電子機器では、ケース（構造体）の外側にさらにデザインが施されたカバーを取り付け、意匠的な変化を持たせて着せ替えのような遊び心を演出するものや、基本のケースのカバー取付部分を共通化してカバーだけの色違い品を複数用意して、製造上で簡単にカラーバリエーション展開を実現しようとするものがある（例えば、特許文献１参照）。これらの構成では、カバーは、一般に周縁部の一部が内面側に折り曲がった（湾曲したものを含む）ものがある。このようなカバーは、薄肉の成形品となるので、周縁部の反りや浮きが発生しやすい。そのため、図６のようにカバー１０２を第１のケース１０１の外側に取り付ける場合、図７のようにカバー１０２の成形時の反りによって、カバー１０２の周縁部分と第１のケース１０１の間に開き（隙間）が発生し、（第１のケース１０１と組み合わさる）第２のケース１０３の周縁部分で段差が発生し、外観上問題が生じていた。
【０００３】
このような問題を解決する手段として、図８のようにカバー１０２内側角部に折り目方向と直交する縦リブ１０２ａを複数配設したものがあり、縦リブ１０２ａによってカバー１０２自体の反りを防止（矯正）するとともに、曲げ強度を上げるようにしている。また、図９のようにカバー１０２内側角部に折り目方向に沿って連続的に配された横リブ１０２ｂを配設し、第１のケース１０１における横リブ１０２ｂに対応する位置に溝部１０１ｂを形成したものがあり、溝部１０１ｂに横リブ１０２ｂを嵌め込むことで、カバー１０２の周縁部の開きを抑えている。
【０００４】
【特許文献１】実用新案登録３０６３０５０号公報
【特許文献２】実開昭５８−１６６０７８号公報
【特許文献３】特開２００３−３２３４２号公報
【特許文献４】特許第２７７１５１８号公報
【発明の開示】
【発明が解決しようとする課題】
【０００５】
しかし、図８のような構成では、カバー１０２の成形上の反りを完全には抑えることができない。また、縦リブ１０２ａと対応させるために、第１のケース１０１には大きな穴部１０１ａを形成する必要があり、第１のケース１０１の強度や成形性に問題があった。
【０００６】
また、図９のような構成では、第１のケース１０１に溝部１０１ｂを形成することによって内側方向へケース周囲の厚みが増えてしまうので、内蔵実装部品のスペース確保が問題であった。
【０００７】
本発明の第１の目的は、外観品質を保持しつつ構造体の強度や成形性を向上させることができる電子機器、カバー及び構造体を提供することである。
【０００８】
本発明の第２の目的は、外観品質を保持しつつ内蔵実装部品のスペースを確保することができる電子機器、カバー及び構造体を提供することである。
【課題を解決するための手段】
【０００９】
本発明の第１の視点においては、電子機器において、構造体の外側に取り付けられるとともに、少なくとも周縁部の全体又は一部が内面側に折り曲がったカバーを有する電子装置において、前記カバーは、その内面の折り目の一部を含む所定の領域から突出するとともに、前記カバーの内面側から見て前記折り目と交叉する（線形成分を有する）第１の部位と、当該第１の部位と交叉する（線形成分を有する）第２の部位とが一体となった１又は複数のリブを有し、前記構造体は、前記リブと対応する位置に当該リブと嵌合する穴部を有することを特徴とする。
【００１０】
本発明の前記電子機器において、前記リブは、前記カバーの内面側から見てＴ字若しくはＬ字又はΩ字形状に形成されていることが好ましい。
【００１１】
本発明の前記電子機器において、前記リブの前記第１の部位は、前記折り目より端部側の前記カバーの面と接合することが好ましい。
【００１２】
本発明の前記電子機器において、前記リブの前記第２の部位は、前記折り目より中央側の前記カバーの面と接合することが好ましい。
【００１３】
本発明の前記電子機器において、前記リブは、先端部の近傍に爪部を有し、前記構造体は、前記爪部と対応する位置に当該爪部と掛合する掛合部を有することが好ましい。
【００１４】
本発明の前記電子機器において、前記電子機器は、携帯電話機であることが好ましい。
【００１５】
本発明の第２の視点において、構造体の外側に取り付けられるとともに、少なくとも周縁部の全体又は一部が内面側に折り曲がったカバーにおいて、内面の折り目の一部を含む所定の領域から突出するとともに、前記カバーの内面側から見て前記折り目と交叉する（線形成分を有する）第１の部位と、当該第１の部位と交叉する（線形成分を有する）第２の部位とが一体に構成され、前記構造体の所定の部位と嵌合する１又は複数のリブを備えることを特徴とする。
【００１６】
本発明の第３の視点において、少なくとも周縁部の全体又は一部が内面側に折り曲がったカバーが取り付けられる構造体において、外面の角部を含む所定の領域に凹設されるとともに、前記構造体の外面側から見て前記角部の稜線と交叉する（線形成分を有する）第１の部位と、当該第１の部位と交叉する（線形成分を有する）第２の部位とが一体に構成され、前記カバーの所定の部位と嵌合する１又は複数の穴部を備えることを特徴とする。
【発明の効果】
【００１７】
本発明（請求項１〜８）によれば、薄肉のカバーであっても、カバー自体の剛性が向上し、かつ、カバーの周縁部の反り（浮き、開き）を防止できるので、構造体とカバーの周囲の段差がなく良好な外観品質を実現できる。
【００１８】
本発明（請求項１〜６）によれば、組み立て後にカバーの外側中央付近が押されても、カバーの周縁部の開きを防止できるので外観品質を保持できる。
【００１９】
本発明（請求項１〜６）によれば、カバー周囲全体にリブを配設する必要がないので、内臓部品のスペースを確保することができる。
【００２０】
本発明（請求項１〜４）によれば、構造体とカバーを組み合わせたときに、リブの第２の部位が構造体の穴部と嵌合してリブが外側に倒れないので、リブの第１の部位を介してカバーが外側に開くことを防止することができる。
【００２１】
本発明（請求項１〜４）によれば、リブをカバーの適当な位置に複数個配設することにより、構造体への取り付け前にカバーの反りが発生していても、取り付け後に構造体の形状に沿って矯正されるので、カバーの周縁部が外側に広がらず、カバーの端部で構造体との段差が発生せず良好な合わせ面を形成できる。
【００２２】
本発明（請求項５）によれば、リブの爪部が構造体の掛合部に掛合することにより、カバー周縁部でカバーと構造体を固定することができるため、構造体から離れる方向におけるカバーの浮きを最小限に抑えることができる。また、カバーを取り外す必要のある、例えば着せ替えカバーに利用すれば、カバーの反りを矯正しつつ小スペースでカバーのロック機構を実現できる。
【発明を実施するための最良の形態】
【００２３】
本発明の実施形態１について図面を用いて説明する。図１は、本発明の実施形態１に係る電子装置の構成を模式的に示した展開斜視図である。図２は、本発明の実施形態１に係る電子装置の構成を模式的に示した（ａ）部分断面図、及び（ｂ）Ａ−Ａ間の部分断面図である。図３は、本発明の実施形態１に係る電子装置のカバーの構成を模式的に示した部分斜視図である。図４は、本発明の実施形態１に係る電子装置のケースの構成を模式的に示した部分斜視図である。
【００２４】
電子装置は、薄肉のカバーが構造体（ケース、フレームなど）に嵌合される筐体を有する携帯電話機、電化製品、ＯＡ機器などの電子装置である。また、電子装置は、大型で金属製の薄肉のカバーのキャビネットや建造物に適用してもよい。実施形態１では、携帯電話機を例に説明する。
【００２５】
図２を参照すると、電子装置は、第１のケース１と、カバー２と、第２のケース３と、を有する。
【００２６】
第１のケース１は、第２のケース３と組み合わさる構造体の一部材であり、カバー２が外面側から取り付けられる。第１のケース１は、カバー２を取り付けるための複数の穴部１ａを有する。穴部１ａは、カバー２のリブ２ａと嵌合する有底の穴部である。穴部１ａは、第１のケース１の外面の角部を含む所定の領域に凹設されており、第１のケース１の外面側から見て角部の稜線１ｃと交叉する線形成分を有する第１の部位と、当該第１の部位と交叉する線形成分を有する第２の部位とが一体に構成されており、実施形態１では第１のケース１の外面側から見てＴ字形状に構成されている。穴部１ａは、第１のケース１の外面側から見てＴ字形状に構成する以外にも、Ｌ字、Ω字形状に構成してもよい。
【００２７】
カバー２は、第１のケース１の外面側に取り付けられる。カバー２の周縁部２ｂは、第１のケース１の側端部に沿う領域においてカバー２の内面側に連続的に折り曲がっている（湾曲している場合を含む）。カバー２は、内面側の所定の位置に複数のリブ２ａを有する。リブ２ａは、内面側の折り目２ｄを含む所定の領域から突出しており、カバー２の内面側から見て折り目２ｄと交叉する線形成分を有する第１の部位（例えば、Ｔ字の縦線の部位）と、当該第１の部位と交叉する線形成分を有する第２の部位（例えば、Ｔ字の横線の部位）とが一体に構成されており、実施形態１ではカバー２の内面側から見てＴ字形状に形成されている。穴部１ａは、第１のケース１の外面側から見てＴ字形状に構成する以外にも、Ｌ字、Ω字形状に構成してもよい。リブ２ａは、第１のケース１の穴部１ａに拘束される(遊びが小さい)ものであれば、穴部１ａとの間に多少の隙間があってもかまわない。例えば、リブ２ａがΩ字形状で、穴部１ａが菱形形状であれば、Ω字の丸部分の外面と菱形形状の４箇所の内形面で、線接触して拘束されるようにしてもよい。
【００２８】
第２のケース３は、第１のケース１と組み合わさる構造体の一部材である。
【００２９】
実施形態１によれば、リブ２ａの第２の部位が穴部１ａで規制され、カバー２の外形の外側方向に倒れないので、リブ２ａの第１の部位を介してカバー２の周縁部２ｂが外側に広がることを防止することができる。また、組み立て後にカバー２の上部（外面側中央付近）が押されても、カバー２の周縁部２ｂの開きを防止できるので外観品質を保持できる。さらに、リブ２ａは、第１の部位でカバー２の周縁部２ｂの開きを強制的に押さえ込むことができ、カバー２の周囲全体に設置する必要がないので、内臓部品のスペースを確保することも可能である。
【００３０】
（実施形態２）
次に、本発明の実施形態２について図面を用いて説明する。図５は、本発明の実施形態２に係る電子装置の構成を模式的に示した部分断面図である。実施形態２に係る電子装置では、リブ２ａの先端部近傍に爪部２ｃを設け、第１のケース１における爪部２ｃと対応する位置に当該爪部２ｃと掛合する掛合部１ｂを設けている。その他の構成については実施形態１と同様である。実施形態２によれば、カバー２の外周近傍でカバー２と第１のケース１を固定することができるため、カバー２の上方向（第１のケース１の反対側の方向）の浮きも最小限に抑えることができる。また、カバー２を取り外す必要のある電子装置（例えば、カバーの着せ替え可能な電子装置）に利用すれば、カバー２の反りを矯正しつつ小スペースでカバーのロック機構を実現できる。
【図面の簡単な説明】
【００３１】
【図１】本発明の実施形態１に係る電子装置の構成を模式的に示した展開斜視図である。
【図２】本発明の実施形態１に係る電子装置の構成を模式的に示した（ａ）部分断面図、及び（ｂ）Ａ−Ａ間の部分断面図である。
【図３】本発明の実施形態１に係る電子装置のカバーの構成を模式的に示した部分斜視図である。
【図４】本発明の実施形態１に係る電子装置のケースの構成を模式的に示した部分斜視図である。
【図５】本発明の実施形態２に係る電子装置の構成を模式的に示した部分断面図である。
【図６】従来例１に係る電子装置の構成を模式的に示した展開斜視図である。
【図７】従来例１に係る電子装置の構成を模式的に示した部分断面図である。
【図８】従来例２に係る電子装置の構成を模式的に示した部分展開斜視図である。
【図９】従来例３に係る電子装置の構成を模式的に示した部分展開斜視図である。
【符号の説明】
【００３２】
１、１０１  第１のケース（構造体）
１ａ  穴部
１ｂ  掛合部
１ｃ  稜線
２、１０２  カバー
２ａ  リブ
２ｂ  周縁部
２ｃ  爪部
２ｄ  折り目
３、１０３  第２のケース（構造体）
１０１ａ  穴部
１０１ｂ  溝部
１０２ａ  縦リブ
１０２ｂ  横リブ
【図１】
2006086279.tif 000003
【図２】
2006086279.tif 000004
【図３】
2006086279.tif 000005
【図４】
2006086279.tif 000006
【図５】
2006086279.tif 000007
【図６】
2006086279.tif 000008
【図７】
2006086279.tif 000009
【図８】
2006086279.tif 000010
【図９】
2006086279.tif 000011